(57)【要約】【課題】  可搬型記録媒体からの画像データの読み出し時間をユーザに意識させることなく可搬型記録媒体の内容をスライドショーとして表示させる。【解決手段】  媒体検知部３２０は可搬型記録媒体３１０が装着または着脱されたことを検知する。媒体管理部３３０は、可搬型記録媒体３１０からディレクトリおよび静止画データファイルを読み出して一時記憶領域３８１に書き込む。画像管理部３４０は、ディレクトリに対応するアルバムのアルバム情報を作成してアルバムリスト３９２に追加し、静止画データファイルに対応するフォトのフォト情報を作成してフォトリスト３９１に追加する。画像表示制御部３５０は、アルバムリスト３９２およびフォトリスト３９１を適宜読み出すことにより画像表示部３６０に対して静止画データファイルに対応するフォトを表示するよう制御する。【選択図】      図４
2005079822.tif 000002
【特許請求の範囲】
【請求項１】
可搬型記録媒体から静止画データファイルを順次読み出して一時記憶領域に書き込むとともに前記静止画データファイルが前記一時記憶領域に書き込まれた旨を示すファイル作成メッセージを送信する媒体管理手段と、
前記ファイル作成メッセージを受け取ると前記一時記憶領域に書き込まれた静止画データファイルに対応するフォトのフォト情報をフォトリストに追加するとともに前記フォト情報が前記フォトリストに追加された旨を示すフォト追加メッセージを送信する画像管理手段と、
前記フォトリストに従って前記静止画データファイルに対応するフォトを表示するよう制御する画像表示制御手段とを具備し、
前記画像表示制御手段は、前記フォト追加メッセージを受け取ると前記フォトリストを読み直す
ことを特徴とする画像再生装置。
【請求項２】
前記媒体管理手段は、前記可搬型記録媒体から静止画データファイルを含むディレクトリを読み出すと前記一時記憶領域に前記ディレクトリを生成するとともに前記ディレクトリが前記一時記憶領域に作成された旨を示すディレクトリ作成メッセージを送信し、
前記画像管理手段は、前記ディレクトリ作成メッセージを受け取ると前記一時記憶領域に作成されたディレクトリに対応するアルバムのアルバム情報をアルバムリストに追加するとともに前記アルバム情報が前記アルバムリストに追加された旨を示すアルバム追加メッセージを送信し、
前記画像表示制御手段は、前記アルバム追加メッセージを受け取ると前記アルバムリストを読み直す
ことを特徴とする請求項１記載の画像再生装置。
【請求項３】
指定されたアルバムの保存要求を入力させる要求入力手段をさらに具備し、
前記画像管理手段は、前記保存要求が入力されると前記指定されたアルバムのアルバム情報を生成して前記アルバムリストに追加するとともに前記指定されたアルバムに含まれるフォトのフォト情報を前記フォトリストに追加し、
前記媒体管理手段は、前記保存要求が入力されると前記指定されたアルバムに対応するディレクトリおよびそのディレクトリに含まれる静止画データファイルを前記一時記憶領域から読み出して保存領域に書き込む
ことを特徴とする請求項２記載の画像再生装置。
【請求項４】
前記可搬型記録媒体が装着されたことを検知する媒体検知手段をさらに具備し、
前記媒体管理手段は、前記可搬型記録媒体の装着が前記媒体検知手段によって検知されると前記可搬型記録媒体からの読み出しを開始する
ことを特徴とする請求項１記載の画像再生装置。
【請求項５】
前記媒体管理手段は、新たに可搬型記録媒体が装着されたことを前記媒体検知手段が検知すると、装着された可搬型記録媒体の内容と前記一時記憶領域の内容を比較して前記装着された可搬型記録媒体に含まれない静止画データファイルであって前記一時記憶領域に含まれる静止画データファイルを前記一時記憶領域から削除する
ことを特徴とする請求項４記載の画像再生装置。
【請求項６】
前記画像表示制御手段による制御に従い前記静止画データファイルに対応するフォトを表示する画像表示手段をさらに具備する
ことを特徴とする請求項１記載の画像再生装置。
【請求項７】
静止画データファイルに対応するフォトのフォト情報を含むフォトリストに従って前記フォトを表示する画像再生方法であって、
可搬型記録媒体において静止画データファイルを含むディレクトリを検出する手順と、
前記ディレクトリにおいて前記静止画データファイルを一時記憶領域にコピーする手順と、
前記静止画データファイルが一時記憶領域にコピーされると前記静止画データファイルに対応するフォトのフォト情報をフォトリストに追加する手順と、
前記フォト情報が前記フォトリストに追加されると前記フォトリストを読み直す手順と
を具備することを特徴とする画像再生方法。
【請求項８】
静止画データファイルに対応するフォトのフォト情報を含むフォトリストに従って前記フォトを表示する画像再生方法であって、
可搬型記録媒体において静止画データファイルを含むディレクトリを検出する手順と、
前記ディレクトリにおける静止画データファイルと一時記憶領域における静止画データファイルとが一致するかを判断する手順と、
前記判断の結果、一致しなければ前記ディレクトリにおける静止画データファイルを前記一時記憶領域にコピーする手順と、
前記ディレクトリにおける静止画データファイルが一時記憶領域にコピーされると当該静止画データファイルに対応するフォトのフォト情報をフォトリストに追加する手順と、
前記フォト情報が前記フォトリストに追加されると前記フォトリストを読み直す手順と
を具備することを特徴とする画像再生方法。
【請求項９】
静止画データに関するフォト情報を含むフォトリストに従って前記静止画データを表示する画像再生装置において、
静止画データファイルを含むディレクトリを可搬型記録媒体において検出する手順と、
前記ディレクトリにおいて前記静止画データファイルを一時記憶領域にコピーする手順と、
前記静止画データファイルが一時記憶領域にコピーされると前記静止画データファイルに対応するフォトのフォト情報をフォトリストに追加する手順と、
前記フォト情報が前記フォトリストに追加されると前記フォトリストを読み直す手順と
をコンピュータに実行させることを特徴とするプログラム。
【請求項１０】
静止画データに関するフォト情報を含むフォトリストに従って前記静止画データを表示する画像再生装置において、
静止画データファイルを含むディレクトリを可搬型記録媒体において検出する手順と、
前記ディレクトリにおける静止画データファイルと一時記憶領域における静止画データファイルとが一致するかを判断する手順と、
前記判断の結果、一致しなければ前記ディレクトリにおける静止画データファイルを前記一時記憶領域にコピーする手順と、
前記ディレクトリにおける静止画データファイルが一時記憶領域にコピーされると当該静止画データファイル対応するフォトのフォト情報をフォトリストに追加する手順と、
前記フォト情報が前記フォトリストに追加されると前記フォトリストを読み直す手順と
をコンピュータに実行させることを特徴とするプログラム。
【発明の詳細な説明】
【技術分野】
【０００１】
本発明は、画像再生装置に関し、特に可搬型記録媒体に記録された静止画データを順次再生する画像再生装置および画像再生方法ならびに当該方法をコンピュータに実行させるプログラムに関する。
【背景技術】
【０００２】
近年、デジタル技術の採用により撮像内容を半導体記録媒体に記録することを可能とした撮像装置が普及している。例えば、デジタルスチルカメラでは、従来から存在するフィルムに代えて可搬型記録媒体を用いて、ＪＰＥＧ（Joint Photographic Experts Group）などによる圧縮画像を保持している。
【０００３】
また、テレビ装置においても地上波のデジタル化を睨んで、デジタル放送を受信できるデジタル放送受信機が注目されている。このデジタル放送受信機では、デジタル放送を受信するだけでなく、上述の可搬型記録媒体に保持された画像データを表示する機能を有する機種も存在する。このような機能は、デジタルスチルカメラとデジタル放送受信機が家庭に普及していくにつれて、より簡単な操作で実現できることが要求されるようになってくる。
【０００４】
可搬型記録媒体の内容をスライドショーとして１画像ずつ順次表示するには、従来は、可搬型記録媒体を挿入した後でメニューから画像の読み出しを選択して可搬型記録媒体から画像データを１つずつ読み出すか、または、可搬型記録媒体が挿入された際に可搬型記録媒体に記録されている内容を全て読み出しておく必要があった。
【０００５】
例えば、デジタル画像再生装置において、ユーザのリモコン操作に従って画像データを外部記憶媒体から１枚ずつ読み出し、画像再生を行う技術が提案されている（例えば、特許文献１参照。）。
【特許文献１】特開平１１−２７５５０３号公報（図３）
【発明の開示】
【発明が解決しようとする課題】
【０００６】
上述の従来技術では、ユーザの指示に従って可搬型記録媒体から画像データを１つずつ読み出す場合には、画像データの読み出しの度にデータ転送時間を要することになり、読み出しの待ち時間よりも短い時間間隔で画像の切り替えを行うことができないという問題がある。また、可搬型記録媒体が挿入された際に可搬型記録媒体に記録されている全ての内容を読み出す場合には、最初のデータ転送時間が非常に長くなり、ユーザが長時間待たされるという問題がある。
【０００７】
そこで、本発明は、可搬型記録媒体からの画像データの読み出し時間をユーザに意識させることなく可搬型記録媒体の内容をスライドショーとして表示させることを目的とする。
【課題を解決するための手段】
【０００８】
上記課題を解決するために本発明の請求項１記載の画像再生装置は、可搬型記録媒体から静止画データファイルを順次読み出して一時記憶領域に書き込むとともに上記静止画データファイルが上記一時記憶領域に書き込まれた旨を示すファイル作成メッセージを送信する媒体管理手段と、上記ファイル作成メッセージを受け取ると上記一時記憶領域に書き込まれた静止画データファイルに対応するフォトのフォト情報をフォトリストに追加するとともに上記フォト情報が上記フォトリストに追加された旨を示すフォト追加メッセージを送信する画像管理手段と、上記フォトリストに従って上記静止画データファイルに対応するフォトを表示するよう制御する画像表示制御手段とを具備し、上記画像表示制御手段は、上記フォト追加メッセージを受け取ると上記フォトリストを読み直すものである。これにより、可搬型記録媒体に記憶されていた静止画データファイルが一時記憶領域に展開されてフォト情報がフォトリストに追加され、画像表示制御手段による表示制御の対象となるという作用をもたらす。
【０００９】
また、本発明の請求項２記載の画像再生装置は、請求項１記載の画像再生装置において、上記媒体管理手段が、上記可搬型記録媒体から静止画データファイルを含むディレクトリを読み出すと上記一時記憶領域に上記ディレクトリを生成するとともに上記ディレクトリが上記一時記憶領域に作成された旨を示すディレクトリ作成メッセージを送信し、上記画像管理手段が、上記ディレクトリ作成メッセージを受け取ると上記一時記憶領域に作成されたディレクトリに対応するアルバムのアルバム情報をアルバムリストに追加するとともに上記アルバム情報が上記アルバムリストに追加された旨を示すアルバム追加メッセージを送信し、上記画像表示制御手段が、上記アルバム追加メッセージを受け取ると上記アルバムリストを読み直すというものである。これにより、静止画データファイルを含むディレクトリをアルバムとしてアルバム情報がアルバムリストに追加され、画像表示制御手段による表示制御の対象となるという作用をもたらす。
【００１０】
また、本発明の請求項３記載の画像再生装置は、請求項２記載の画像再生装置において、指定されたアルバムの保存要求を入力させる要求入力手段をさらに具備し、上記画像管理手段が、上記保存要求が入力されると上記指定されたアルバムのアルバム情報を生成して上記アルバムリストに追加するとともに上記指定されたアルバムに含まれるフォトのフォト情報を上記フォトリストに追加し、上記媒体管理手段が、上記保存要求が入力されると上記指定されたアルバムに対応するディレクトリおよびそのディレクトリに含まれる静止画データファイルを上記一時記憶領域から読み出して保存領域に書き込むというものである。これにより、指定されたアルバムに対応する一時記憶領域のディレクトを保存領域に保存させるという作用をもたらす。
【００１１】
また、本発明の請求項４記載の画像再生装置は、請求項１記載の画像再生装置において、上記可搬型記録媒体が装着されたことを検知する媒体検知手段をさらに具備し、上記媒体管理手段は、上記可搬型記録媒体の装着が上記媒体検知手段によって検知されると上記可搬型記録媒体からの読み出しを開始するものである。これにより、可搬型記録媒体の装着によってフォトリストの更新を駆動させるという作用をもたらす。
【００１２】
また、本発明の請求項５記載の画像再生装置は、請求項４記載の画像再生装置において、上記媒体管理手段が、新たに可搬型記録媒体が装着されたことを上記媒体検知手段が検知すると、装着された可搬型記録媒体の内容と上記一時記憶領域の内容を比較して上記装着された可搬型記録媒体に含まれない静止画データファイルであって上記一時記憶領域に含まれる静止画を上記一時記憶領域から削除するものである。これにより、装着された可搬型記録媒体に含まれない静止画データファイルを一時記憶領域から削除させるという作用をもたらす。
【００１３】
また、本発明の請求項６記載の画像再生装置は、請求項１記載の画像再生装置において、上記画像表示制御手段による制御に従い上記静止画データファイルに対応するフォトを表示する画像表示手段をさらに具備する。これにより、可搬型記録媒体からの静止画データファイル読み出しと並行して静止画データファイルに対応するフォトを表示させるという作用をもたらす。
【００１４】
また、本発明の請求項７記載の画像再生方法は、静止画データファイルに対応するフォトのフォト情報を含むフォトリストに従って上記フォトを表示する画像再生方法であって、可搬型記録媒体において静止画データファイルを含むディレクトリを検出する手順と、上記ディレクトリにおいて上記静止画データファイルを一時記憶領域にコピーする手順と、上記静止画データファイルが一時記憶領域にコピーされると上記静止画データファイルに対応するフォトのフォト情報をフォトリストに追加する手順と、上記フォト情報が上記フォトリストに追加されると上記フォトリストを読み直す手順とを具備する。これにより、フォトの表示と並行して可搬型記録媒体からの静止画データファイル読み出しを行わせるという作用をもたらす。
【００１５】
また、本発明の請求項８記載の画像再生方法は、静止画データファイルに対応するフォトのフォト情報を含むフォトリストに従って上記フォトを表示する画像再生方法であって、可搬型記録媒体において静止画データファイルを含むディレクトリを検出する手順と、上記ディレクトリにおける静止画データファイルと一時記憶領域における静止画データファイルとが一致するかを判断する手順と、上記判断の結果、一致しなければ上記ディレクトリにおける静止画データファイルを上記一時記憶領域にコピーする手順と、上記ディレクトリにおける静止画データファイルが一時記憶領域にコピーされると当該静止画データファイルに対応するフォトのフォト情報をフォトリストに追加する手順と、上記フォト情報が上記フォトリストに追加されると上記フォトリストを読み直す手順とを具備する。これにより、可搬型記録媒体における静止画データファイルが既に一時記憶領域にコピーされている場合には再度のコピーを回避させるという作用をもたらす。
【００１６】
また、本発明の請求項９記載のプログラムは、静止画データに関するフォト情報を含むフォトリストに従って上記静止画データを表示する画像再生装置において、静止画データファイルを含むディレクトリを可搬型記録媒体において検出する手順と、上記ディレクトリにおいて上記静止画データファイルを一時記憶領域にコピーする手順と、上記静止画データファイルが一時記憶領域にコピーされると上記静止画データファイルに対応するフォトのフォト情報をフォトリストに追加する手順と、上記フォト情報が上記フォトリストに追加されると上記フォトリストを読み直す手順とをコンピュータに実行させるものである。これにより、フォトの表示と並行して可搬型記録媒体からの静止画データファイル読み出しを実行させるという作用をもたらす。
【００１７】
また、本発明の請求項１０記載のプログラムは、静止画データに関するフォト情報を含むフォトリストに従って上記静止画データを表示する画像再生装置において、静止画データファイルを含むディレクトリを可搬型記録媒体において検出する手順と、上記ディレクトリにおける静止画データファイルと一時記憶領域における静止画データファイルとが一致するかを判断する手順と、上記判断の結果、一致しなければ上記ディレクトリにおける静止画データファイルを上記一時記憶領域にコピーする手順と、上記ディレクトリにおける静止画データファイルが一時記憶領域にコピーされると当該静止画データファイル対応するフォトのフォト情報をフォトリストに追加する手順と、上記フォト情報が上記フォトリストに追加されると上記フォトリストを読み直す手順とをコンピュータに実行させるものである。これにより、可搬型記録媒体における静止画データファイルが既に一時記憶領域にコピーされている場合には再度コピーを実行することを回避させるという作用をもたらす。
【発明の効果】
【００１８】
本発明によれば、可搬型記録媒体からの画像データの読み出し時間をユーザに意識させることなく可搬型記録媒体の内容をスライドショーとして表示させるという優れた効果を奏し得る。
【発明を実施するための最良の形態】
【００１９】
次に本発明の実施の形態について図面を参照して詳細に説明する。
【００２０】
図１は、本発明の実施の形態における可搬型記録媒体３１０の位置付けを示す概念図である。可搬型記録媒体３１０は、例えばデジタルスチルカメラ２００のカードスロット部２９０に装着され、撮像された静止画データが可搬型記録媒体３１０のファイルシステムにおける一つのファイルとして記録される。ファイル形式としては、ＪＰＥＧ圧縮形式が用いられることが多い。
【００２１】
また、この可搬型記録媒体３１０の内容は、パーソナルコンピュータ４００において編集、削除などの対象となり得る。すなわち、可搬型記録媒体３１０は、パーソナルコンピュータ４００のカードスロット部４９０に装着され、可搬型記録媒体３１０のファイルシステムにおける各ファイルがパーソナルコンピュータ４００によりアクセスされる。また、パーソナルコンピュータ４００は、可搬型記録媒体３１０のファイルシステムにおいて新たにファイルを追加することも可能である。
【００２２】
このようにして静止画データが記録された可搬型記録媒体３１０は、デジタル放送受信機１００のカードスロット部１９０に装着される。この可搬型記録媒体３１０に記録された静止画データは順次スライドショーとして表示される。
【００２３】
図２は、本発明の実施の形態におけるデジタル放送受信機１００の構成を示す図である。このデジタル放送受信機１００は、制御部１１０と、メモリ部１２９と、ディスク部１２８と、バス１０８と、チューナ１３１と、外部入力部１３２と、ネットワーク入出力部１３３と、復調部１３４と、デマルチプレクサ１４０と、音声復号部１４１と、画像復号部１４２と、スイッチ部１５０と、デジタル−アナログ（Ｄ／Ａ）変換部１６０と、音声出力部１６１と、画像出力部１６２と、マルチプレクサ１７０と、音声符号化部１７１と、画像符号化部１７２と、リモコン受光部１８０と、カードスロット部１９０とを備える。また、外部機器として、アンテナ１０９と、スピーカ１０１と、ディスプレイ１０２とを接続する。
【００２４】
制御部１１０は、デジタル放送受信機１００全体の動作を制御する。この制御部１１０は、例えばＣＰＵにより構成される。メモリ部１２９は、制御部１１０の主記憶に該当し、制御部１１０上で動作するプログラムや後述のフォトリスト３９１やアルバムリスト３９２等が記憶される。また、制御部１１０の外部記憶としてハードディスク等のディスク部１２８が設けられており、後述の一時記憶領域３８１や保存領域３８２等が記憶される。
【００２５】
チューナ１３１は、アンテナ１０９から供給された放送信号から制御部１１０の制御によって所定チャンネルの信号を検波して復調部１３４に供給する。放送信号は、地上波でもよく、放送衛星（ＢＳ：Broadcasting Satellite）放送や通信衛星（ＣＳ：Communication Satellite）放送による衛星信号でもよい。復調部１３４は、制御部１１０の制御によりチューナ１３１からの放送信号を復調してデータを取り出してデマルチプレクサ１４０に供給する。デジタル放送の場合は、例えば位相変調（ＰＳＫ）等によりデジタル変調されており、復調部１３４はこのデジタル変調された信号からデータを取り出す。
【００２６】
外部入力部１３２は、デジタル放送受信機１００の外部からの入力を接続する。この外部入力信号としては、アナログ信号でもよく、デジタル信号でもよい。アナログ信号の場合は、外部入力部１３２は、制御部１１０の制御により、音声データを音声出力部１６１に、また画像データを画像出力部１６２に、それぞれ供給する。これら音声データおよび画像データは同時にスイッチ部１５０にも供給される。デジタル信号の場合は、外部入力部１３２は、制御部１１０の制御により、デジタル信号を復調部１３４に供給する。
【００２７】
ネットワーク入出力部１３３は、デジタル放送受信機１００と外部のネットワークとを接続するものであり、制御部１１０の制御により例えばＴＣＰ／ＩＰ等のプロトコルを用いて通信処理を行い、データを抽出してデマルチプレクサ１４０へ供給する。
【００２８】
デマルチプレクサ１４０は、復調部１３４またはネットワーク入出力部１３３からのデータを音声データと画像データとに分離して、音声復号部１４１および画像復号部１４２にそれぞれ供給する。デマルチプレクサ１４０は、例えばデジタルデータのトランスポートデコーダとして機能し、ＭＰＥＧ（Moving Picture Experts Group）２のトランスポートストリームを音声データとしての音声ストリームと画像データとしての画像ストリームとに分離する。また、デマルチプレクサ１４０は、メモリ部１２９からのデータもバス１０８を介して受け取ることができる。
【００２９】
音声復号部１４１および画像復号部１４２は、デマルチプレクサ１４０から供給された音声データおよび画像データをそれぞれ復号して、スイッチ部１５０に供給する。例えば、ＭＰＥＧ符号化された音声ストリームおよび画像ストリームをＭＰＥＧ復号して、音声信号および画像信号とする。画像復号部１４２はさらに、復号した画像信号を、例えばＮＴＳＣ（National Television System Committee）方式に変換することができ、その場合はスイッチ部１５０を介して画像出力部１６２に接続してこのＮＴＳＣ方式の信号をディスプレイ１０２に表示させる。
【００３０】
スイッチ部１５０は、外部入力部１３２または音声復号部１４１および画像復号部１４２から供給されたデータを、制御部１１０の制御によりＤ／Ａ変換部１６０、音声出力部１６１および画像出力部１６２、または、音声符号化部１７１および画像符号化部１７２に出力する。例えば、スピーカ１０１およびディスプレイ１０２に出力する場合には、デジタル信号であればＤ／Ａ変換部１６０を介し、アナログ信号であれば音声出力部１６１および画像出力部１６２に直接出力する。一方、ＭＰＥＧ化する必要がある場合には音声符号化部１７１および画像符号化部１７２に出力する。この場合、音声符号化部１７１および画像符号化部１７２により符号化されたデータはマルチプレクサ１７０により多重化され、例えばＭＰＥＧ２のトランスポートストリームを構成する。
【００３１】
カードスロット部１９０は、可搬型記録媒体３１０が装着され、制御部１１０の制御により可搬型記録媒体３１０に対してデータの読出しおよび書込みを行う。そして、例えば、可搬型記録媒体３１０から読み出された静止画データは画像復号部１４２において復号され、画像出力部１６２によりディスプレイ１０２上に表示される。なお、このカードスロット部１９０は、デジタル放送受信機１００の例えば正面に設けられ、可搬型記録媒体３１０を着脱するための便宜が図られている。
【００３２】
リモコン受光部１８０は、リモコン１８１からの赤外線信号等を受光し、ユーザからの指示内容を制御部１１０に伝える。制御部１１０は、その指示内容に従った動作をするようデジタル放送受信機１００全体を制御する。
【００３３】
図３は、本発明の実施の形態におけるリモコン１８１の外観を示す図である。このリモコン１８１は、デジタル放送受信機１００の電源オンオフを指示するための電源ボタン１８２と、画面上のＧＵＩ（Graphical User Interface）表示における選択を行うＧＵＩ選択ボタン１８３と、表示シーンの移動を行うためのフラッシュボタン１８４と、テレビチャンネルを選択するためのチャンネルキー１８５と、音量の大小調整を行うための音量ボタン１８６と、テレビチャンネルの上下移動を指示するためのチャンネルボタン１８７とを備えている。
【００３４】
フラッシュボタン１８４は、放送中の番組を視聴していて見逃したシーンや気になるシーンにさかのぼって再生するときや、録画した番組の再生中に見たい場面に移動するときに用いられるが、スライドショーにおいては表示される静止画を次々と捲っていくために用いられる。
【００３５】
チャンネルボタン１８７は、テレビ放送の視聴中はテレビのチャンネルを切り替えるために用いられるが、スライドショーにおいては表示されるアルバムを切り替えるために用いられる。スライドショーにおけるアルバムとは、静止画データをまとめたものであり、各アルバムは１つ以上の静止画データを含む。従って、静止画データは何れかのアルバムに属することになる。
【００３６】
図４は、本発明の実施の形態における画像再生装置の機能構成を示す図である。この機能構成は、媒体検知部３２０と、媒体管理部３３０と、画像管理部３４０と、画像表示制御部３５０と、画像表示部３６０と、要求入力部３７０と、ディスク３８０と、メモリ３９０とを備えている。これらのうち、媒体検知部３２０、媒体管理部３３０、画像管理部３４０および画像表示制御部３５０は、デジタル放送受信機１００の制御部１１０上で動作するプログラムとして実現することができる。また、画像表示部３６０は、ディスプレイ１０２として実現することができる。また、要求入力部３７０は、リモコン受光部１８０として実現することができる。また、ディスク３８０は、ディスク部１２８として実現することができる。また、メモリ３９０は、メモリ部１２９として実現することができる。
【００３７】
媒体検知部３２０は、カードスロット部１９０に可搬型記録媒体３１０が装着または着脱されたことを検知して、媒体管理部３３０に検知メッセージを送信する。
【００３８】
媒体管理部３３０は、カードスロット部１９０に新たに可搬型記録媒体３１０が装着されたことを示す検知メッセージを媒体検知部３２０から受けると、可搬型記録媒体３１０において静止画データを含むディレクトリを検出して、そのディレクトリと同じディレクトリを一時記憶領域３８１に作成する。そして、媒体管理部３３０は、ディレクトリを作成した旨を示すディレクトリ作成メッセージを画像管理部３４０に送信する。
【００３９】
また、媒体管理部３３０は、可搬型記録媒体３１０から画像データ（静止画データ）のファイルを読み出して、ディスク３８０における一時記憶領域３８１に書き込む。但し、後述のように、可搬型記録媒体３１０内のファイルと同じファイルが一時記憶領域３８１に既に存在する場合には、そのファイルの一時記憶領域３８１への書き込みは行わない。そして、媒体管理部３３０は、ファイルを可搬型記録媒体３１０から一時記憶領域３８１にコピーした旨を示すファイルコピーメッセージを画像管理部３４０に送信する。
【００４０】
画像管理部３４０は、媒体管理部３３０からディレクトリ作成メッセージを受けると、そのディレクトリに対応するアルバムのアルバム情報を作成してメモリ３９０のアルバムリスト３９２に追加する。そして、画像管理部３４０は、画像表示制御部３５０に対してアルバム情報が追加された旨を示すアルバム追加メッセージを送信する。ここで、アルバムとは、ディスク３８０のファイルシステムにおけるディレクトリに相当するものである。
【００４１】
また、画像管理部３４０は、媒体検知部３２０からファイルコピーメッセージを受けると、そのファイルに対応するフォトのフォト情報を作成してメモリ３９０のフォトリスト３９１に追加する。そして、画像管理部３４０は、画像表示制御部３５０に対してフォト情報が追加された旨を示すフォト追加メッセージを送信する。ここで、フォトとは、ディスク３８０のファイルシステムにおける静止画データファイルに相当するものである。
【００４２】
画像表示制御部３５０は、メモリ３９０のアルバムリスト３９２およびフォトリスト３９１を適宜読み出すことにより画像表示部３６０に対して静止画データファイルに対応するフォトを表示するよう制御する。この画像表示制御部３５０は、画像管理部３４０からアルバム追加メッセージを受けるとメモリ３９０からアルバムリスト３９２を読み直し、フォト追加メッセージを受けるとメモリ３９０からフォトリスト３９１を読み直す。画像表示部３６０は、この画像表示制御部３５０の制御に従い、静止画データファイルに対応するフォトを表示する。
【００４３】
画像表示制御部３５０は、スライドショーの実行中は、所定時間毎に（例えば、３秒間隔で）フォトリスト３９１中のフォト情報に定義されるフォトを順次表示するよう制御する。何れのアルバムを利用するかは、モード設定することができ、例えば、日付の新しい順、日付の古い順、または、アルバム名のアルファベット順などにより選択することができる。また、アルバム内のフォトは、ファイル名のアルファベット順などにより選択することができる。
【００４４】
また、ユーザは、リモコン１８１を操作することにより、画像表示制御部３５０により行われる表示制御に指示を与えることができる。図３のリモコン１８１のフラッシュボタン１８４を操作することにより、アルバム内のフォトを順次表示することができる。また、リモコン１８１のチャンネルボタン１８７を操作することにより、利用するアルバムを切り替えることができる。さらに、各フォトはサムネイル形式で一覧表示させることもでき、ユーザはリモコン１８１のＧＵＩ選択ボタン１８３によりサムネイルの中から所望のフォトを選択して表示させることもできる。このサムネイル表示中に上述のようにフォトリスト３９１の読み直しが行われた場合には、これに従ってサムネイル表示も更新されることになる。
【００４５】
ディスク３８０の一時記憶領域３８１は、可搬型記録媒体３１０のキャッシュとして機能するものであり、可搬型記録媒体３１０の内容と一致するよう同期がとられる。この一時記憶領域３８１内のファイルは可搬型記録媒体３１０が着脱されると、アルバムリスト３９２およびフォトリスト３９１の管理上は削除されたものとして扱われる。但し、一時記憶領域３８１内のファイルは次に新たな可搬型記録媒体３１０が装着されるまで維持され、可搬型記録媒体３１０が新たに装着された際に一時記憶領域３８１内に可搬型記録媒体３１０と同じファイルが残っている場合には、可搬型記録媒体３１０から一時記憶領域３８１へのデータ転送を省くよう制御される。
【００４６】
ディスク３８０には、一時記憶領域３８１に加え、保存領域３８２が存在する。この保存領域３８２は、可搬型記録媒体３１０の装着または着脱の如何にかかわらず、静止画データを保存しておくための領域である。一時記憶領域３８１の内容は可搬型記録媒体３１０が着脱される度にフォトリスト３９１およびアルバムリスト３９２の管理から除かれるが、保存領域３８２の内容は可搬型記録媒体３１０の装着状態に影響を受けない。この保存領域３８２に記録するためには一時記憶領域３８１からの保存を明示した要求が必要となる。この保存要求は、要求入力部３７０から画像表示制御部３５０に対して、アルバムを指定することにより行われる。画像表示制御部３５０は、この保存要求を受けると、画像管理部３４０に対して保存要求メッセージを送信する。画像管理部３４０は、この保存要求メッセージを受けると、保存要求メッセージにおいて指定されたアルバムのアルバム情報をアルバムリスト３９２に追加し、そのアルバムに属するフォトのフォト情報をフォトリスト３９１に追加する。そして、媒体管理部３３０は、指定されたアルバムに対応するディレクトリおよびそのディレクトリに属するファイルを一時記憶領域３８１から読み出して保存領域に書き込む。
【００４７】
図５は、本発明の実施の形態における可搬型記録媒体３１０におけるファイルシステムの構造を示す図である。デジタルスチルカメラ２００によって可搬型記録媒体３１０に書き込まれる静止画データは、図５のようなディレクトリ構造の中に記録される。標準規格のＤＣＦ（Design rule for Camera File system）では、ルートディレクトリ（ROOT）の直下にＤＣＩＭというディレクトリ名を有するＤＣＦイメージルートディレクトリが設けられる。
【００４８】
そして、ＤＣＦイメージルートディレクトリの配下には静止画データのファイルを格納するためのＤＣＦディレクトリが設けられる。このＤＣＦディレクトリのディレクトリ名は、８文字であり、第１文字目から第３文字目は１００から９９９のディレクトリ番号で、それに続く５文字は半角英数大文字のみ使用された自由文字と呼ばれる。ディレクトリ番号は互いに重複しないように付与されなければならないが、欠番は生じても許容される。
【００４９】
各ＤＣＦディレクトリ内には静止画データのファイルが格納される。このファイル名は、拡張子を除いて８文字であり、第１文字目から第４文字目は半角英数大文字のみ使用された自由文字であり、続く４文字は０００１から９９９９のファイル番号である。ファイル番号は互いに重複しないように付与されなければならないが、欠番は生じても許容される。また、静止画データとして利用されるＪＰＥＧ圧縮形式の場合、拡張子は「．ＪＰＧ」となる。
【００５０】
このようにファイルシステムにおいて各静止画データファイルは何れかのディレクトリに属する。このファイルシステムの構造を反映して各フォトは何れかのアルバムに属することになる。
【００５１】
図６は、本発明の実施の形態におけるメモリ３９０内のアルバムリスト３９２およびフォトリスト３９１の構造を示す図である。図６（ａ）は、アルバムリスト３９２の構造であり、各ディレクトリに関するアルバム情報として、アルバム識別番号７１１と、属性７１２と、アルバム名７１３と、パス７１４と、ファイルサイズ７１５と、フォト数７１６とを備えている。
【００５２】
アルバム識別番号７１１は、アルバム毎に付与される識別番号である。属性７１２は、対応するディレクトリがディスク３８０内の一時記憶領域３８１および保存領域３８２の何れに記憶されているかを示すものであり、図中、一時記憶領域３８１に保持されているものを「Ｃ」で表し、保存領域３８２に保持されているものを「Ｓ」で表している。画像管理部３４０は、可搬型記録媒体３１０が着脱されると、属性７１２が「Ｃ」となっているアルバム情報を削除する。これにより、可搬型記録媒体３１０が装着されていない状態における一時記憶領域３８１へのアクセスを禁止するよう制御する。
【００５３】
アルバム名７１３は、アルバムの名称であり、原則としてディレクトリ名が用いられるが、ユーザが変更することもできる。パス７１４は、ファイルシステムにおけるアルバムの格納位置を示すものである。ファイルサイズ７１５は、配下のファイルを含むアルバム全体の容量を示すものである。フォト数７１６は、アルバムに含まれる静止画データファイルの数を示すものである。
【００５４】
図６（ｂ）は、フォトリスト３９１の構造であり、各静止画データファイルに関するフォト情報として、フォト識別番号７２１と、アルバム識別番号７２２と、ファイル名７２３と、日付７２４と、ファイルサイズ７２５と、解像度７２６とを備えている。
【００５５】
フォト識別番号７２１は、フォト毎に付与される識別番号である。アルバム識別番号７２２は、フォトの属するアルバムのアルバム識別番号である。ファイル名７２３は、静止画データファイルのファイル名である。日付７２４は、ファイルが作成された年月日および時刻を示すものである。ファイルサイズ７２５は、ファイルの容量を示すものである。解像度７２６は、静止画データの解像度を示すものである。
【００５６】
次に本発明の実施の形態における画像再生装置の動作について図面を参照して説明する。
【００５７】
図７は、本発明の実施の形態における媒体管理部３３０の主動作を示す図である。可搬型記録媒体３１０が装着された旨の検知メッセージを媒体検知部３２０から受けると、媒体管理部３３０は、まず可搬型記録媒体３１０のファイルシステムが所定の基準を満たしているかをチェックする（ステップＳ９３１１）。基準を満たさない場合にはエラー処理が行われ、以下の処理は行われない。
【００５８】
媒体管理部３３０は、一時記憶領域３８１に記憶されているディレクトリ構造を読み出して一時記憶領域ディレクトリリストを作成する（ステップＳ９３１２）。この一時記憶領域ディレクトリリストは、一時記憶領域３８１の内容と可搬型記録媒体３１０の内容との同期をとるための作業用データである。
【００５９】
一時記憶領域ディレクトリリストが作成されると、一時記憶領域３８１の内容と可搬型記録媒体３１０の内容との同期をとる処理が起動される（ステップＳ９３１３）。この同期処理は図８で説明するように再帰的に呼び出されるものであり、最初は例えばルートディレクトリから処理が行われるように呼び出す。
【００６０】
同期処理が再帰的に完了すると、最後に一時記憶領域ディレクトリリストに残されたディレクトリは全て削除される（ステップＳ９３１４）。一時記憶領域ディレクトリリストに残されているディレクトリは、可搬型記録媒体３１０に含まれないディレクトリだからである。
【００６１】
図８は、本発明の実施の形態における媒体管理部３３０の同期処理の動作を示す図である。この同期処理は、図７のステップＳ９３１３から呼ばれ、その後、図中のステップＳ９３３９によって再帰的に呼び出されることにより、可搬型記録媒体３１０に含まれる各ディレクトリについての同期処理が順次行われるようになっている。なお、再帰的に呼び出される深さ方向の段数は、予め制限しておくことが望ましい。例えば、図５で説明したＤＣＦのファイルシステムでは、３段目のディレクトリにファイルが格納されているため、深さ方向の段数を３に制限しておけば足りる。
【００６２】
この同期処理では、まず可搬型記録媒体３１０に記憶されているディレクトリ構造およびその構成ファイルが読み出され、媒体ディレクトリリストおよび媒体ファイルリストが作成される（ステップＳ９３２１、Ｓ９３２２）。これら媒体ディレクトリリストおよび媒体ファイルリストは可搬型記録媒体３１０の内容を表すための作業用データである。
【００６３】
そして、媒体ファイルリストに基づいて現ディレクトリに属する静止画データファイルの数がカウントされる（ステップＳ９３２３）。もし、現ディレクトリに属する静止画データファイルがなければ（ステップＳ９３２４）、媒体ディレクトリリストに基づいて次のディレクトリの存在がチェックされ（ステップＳ９３３８）、次のディレクトリが存在すれば当該次のディレクトリについて同期処理が再帰的に呼び出される（ステップＳ９３３９）。一方、次のディレクトリが存在しなければ（ステップＳ９３３８）、この同期処理を呼び出したステップに再帰的に戻される。
【００６４】
ステップＳ９３２４において、静止画データファイルがあると判断されると、現ディレクトリに対応するディレクトリが一時記憶領域３８１にも存在するか否かが判断される（ステップＳ９３２５）。もし、一時記憶領域３８１に存在しないと判断された場合には一時記憶領域３８１に現ディレクトリと同じディレクトリが作成される（ステップＳ９３２６）。
【００６５】
そして、現ディレクトリに対応するディレクトリが一時記憶領域３８１に作成された旨を示すディレクトリ作成メッセージが送信される（ステップＳ９３２７）。また、一時記憶領域３８１に記憶されているディレクトリの構成ファイルが読み出され、一時記憶領域ファイルリストが作成される（ステップＳ９３２８）。また、図７のステップＳ９３１２で作成された一時記憶領域ディレクトリリストから現ディレクトリに対応するディレクトリが削除される（ステップＳ９３２９）。
【００６６】
次に、現ディレクトリに未処理の静止画データファイルが残っているか否かがチェックされ（ステップＳ９３３１）、静止画データファイルが残っていれば次の静止画データファイルを現ファイルとして以下のステップＳ９３３２からＳ９３３６の処理が行われる。まず、その静止画データファイルについてフィルタ処理が行われる（ステップＳ９３３２）。このフィルタ処理では、例えば、文字化けによりファイル名がプリント不能なキャラクタを含む場合に、プリント可能なキャラクタに揃える等の処理が行われる。そして、ステップＳ９３２８で作成された一時記憶領域ファイルリストから現ファイルが削除される（ステップＳ９３３３）。
【００６７】
また、現ファイルと同一のファイルが一時記憶領域３８１に存在しなければ（ステップＳ９３３４）、現ファイルが一時記憶領域３８１にコピーされる（ステップＳ９３３５）。そして、現ファイルが一時記憶領域３８１にコピーされた旨を示すファイルコピーメッセージが送信される（ステップＳ９３３６）。その後、再びステップＳ９３３１における判断に戻される。
【００６８】
ステップＳ９３３１において、現ディレクトリには未処理の静止画データファイルが残っていないと判断されると、ステップＳ９３２８で作成された一時記憶領域ファイルリストに残されたファイルに対応する静止画データファイルが一時記憶領域３８１から全て削除される（ステップＳ９３３７）。そして、上述のステップＳ９３３８における判断に進む。
【００６９】
図９は、本発明の実施の形態における画像管理部３４０のディレクトリ生成メッセージ受信時の動作を示す図である。画像管理部３４０は、媒体管理部３３０からディレクトリ生成メッセージを受信すると、その一時記憶領域３８１に生成されたディレクトリに関するアルバム情報を生成する（ステップＳ９４１１）。そして、画像管理部３４０は、そのアルバム情報をアルバムリスト３９２に追加する（ステップＳ９４１２）。さらに、画像管理部３４０は、アルバム情報がアルバムリスト３９２に追加された旨を示すアルバム追加メッセージを画像表示制御部３５０に対して送信する（ステップＳ９４１３）。
【００７０】
図１０は、本発明の実施の形態における画像管理部３４０のファイルコピーメッセージ受信時の動作を示す図である。画像管理部３４０は、媒体管理部３３０からファイルコピーメッセージを受信すると、その一時記憶領域３８１にコピーされた静止画データファイルの最適化を行う（ステップＳ９４２１）。このファイル最適化では、ディスプレイ１０２上に表示する際に適した画像となるよう、元の圧縮形式ファイルからＲａｗデータ（生データ：ビットマップデータ）が生成される。例えば、ＶＧＡ（Video Graphics Array）サイズのディスプレイ１０２であれば、横６４０ドット、縦４８０ドットの解像度を有するＲａｗデータが圧縮形式ファイル（ＪＰＥＧ）とは別に生成される。
【００７１】
次に、画像管理部３４０は、その一時記憶領域３８１にコピーされたファイルに関するフォト情報を生成する（ステップＳ９４２２）。そして、画像管理部３４０は、そのフォト情報をフォトリスト３９１に追加する（ステップＳ９４２３）。この際、画像管理部３４０は、ファイルコピーメッセージに含まれるファイルのパスとアルバムリスト３９２におけるパス７１４とを比較して、一致しているアルバムがアルバムリスト３９２にあればそのアルバムのアルバム識別番号７１１をフォトリスト３９１のアルバム識別番号７２２に付与する。
【００７２】
さらに、画像管理部３４０は、フォト情報がフォトリスト３９１に追加された旨を示すフォト追加メッセージを画像表示制御部３５０に対して送信する（ステップＳ９４２４）。
【００７３】
なお、画像管理部３４０が画像表示制御部３５０から保存要求メッセージを受信した場合には、図９と図１０の両方の動作を行う。すなわち、保存要求メッセージにおいて指定されたアルバムのアルバム情報がアルバムリスト３９２に追加され、そのアルバムに属するフォトのフォト情報がフォトリスト３９１に追加される。この場合、媒体管理部３３０は、指定されたアルバムに対応するディレクトリおよびそのディレクトリに属するファイルを一時記憶領域３８１から読み出して保存領域に書き込む。
【００７４】
このように、本発明の実施の形態によれば、静止画データファイルを管理する媒体管理部３３０と、フォトを管理する画像管理部３４０と、フォトの表示を制御する画像表示制御部３５０とを並行して動作させることにより、可搬型記録媒体からの静止画データファイルの読み出し時間をユーザに意識させることなくスライドショーによりフォトを表示させることができる。
【００７５】
なお、本発明の実施の形態は本発明を具現化するための一例を示したものであり、以下に示すように特許請求の範囲における発明特定事項とそれぞれ対応関係を有するが、これに限定されるものではなく本発明の要旨を逸脱しない範囲において種々の変形を施すことができる。
【００７６】
すなわち、請求項１において、可搬型記録媒体は例えば可搬型記録媒体３１０に対応する。また、媒体管理手段は例えば媒体管理部３３０に対応する。また、画像管理手段は例えば画像管理部３４０に対応する。また、画像表示制御手段は例えば画像表示制御部３５０に対応する。また、一時記憶領域は例えば一時記憶領域３８１に対応する。また、フォトリストは例えばフォトリスト３９１に対応する。
【００７７】
また、請求項２において、アルバムリストは例えばアルバムリスト３９２に対応する。
【００７８】
また、請求項３において、要求入力手段は例えば要求入力部３７０に対応する。
【００７９】
また、請求項４において、媒体検知手段は例えば媒体検知部３２０に対応する。
【００８０】
また、請求項６において、画像表示手段は例えば画像表示部３６０に対応する。
【００８１】
また、請求項７または請求項９において、可搬型記録媒体において静止画データファイルを含むディレクトリを検出する手順は例えばステップＳ９３２４に対応する。また、ディレクトリにおいて静止画データファイルを一時記憶領域にコピーする手順は例えばステップＳ９３３５に対応する。また、静止画データファイルが一時記憶領域にコピーされると静止画データファイルに対応するフォトのフォト情報をフォトリストに追加する手順は例えばステップＳ９４２３に対応する。また、フォト情報がフォトリストに追加されるとフォトリストを読み直す手順は例えば画像表示制御部３５０における機能に対応する。
【００８２】
また、請求項８または請求項１０において、可搬型記録媒体において静止画データファイルを含むディレクトリを検出する手順は例えばステップＳ９３２４に対応する。また、ディレクトリにおける静止画データファイルと一時記憶領域における静止画データファイルとが一致するかを判断する手順は例えばステップＳ９３３４に対応する。また、その判断の結果、一致しなければディレクトリにおける静止画データファイルを一時記憶領域にコピーする手順は例えばステップＳ９３３５に対応する。また、ディレクトリにおける静止画データファイルが一時記憶領域にコピーされると当該静止画データファイル対応するフォトのフォト情報をフォトリストに追加する手順は例えばステップＳ９４２３に対応する。また、フォト情報がフォトリストに追加されるとフォトリストを読み直す手順は例えば画像表示制御部３５０における機能に対応する。
【００８３】
なお、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。
【産業上の利用可能性】
【００８４】
本発明の活用例として、例えばデジタルスチルカメラで撮像された静止画データファイルの内容を、デジタル受信機によりスライドショーとして表示させる際に、本発明を適用することができる。
【図面の簡単な説明】
【００８５】
【図１】本発明の実施の形態における可搬型記録媒体３１０の位置付けを示す概念図である。
【図２】本発明の実施の形態におけるデジタル放送受信機１００の構成を示す図である。
【図３】本発明の実施の形態におけるリモコン１８１の外観を示す図である。
【図４】本発明の実施の形態における画像再生装置の機能構成を示す図である。
【図５】本発明の実施の形態における可搬型記録媒体３１０におけるファイルシステムの構造を示す図である。
【図６】本発明の実施の形態におけるメモリ３９０内のアルバムリスト３９２およびフォトリスト３９１の構造を示す図である。
【図７】本発明の実施の形態における媒体管理部３３０の主動作を示す図である。
【図８】本発明の実施の形態における媒体管理部３３０の同期処理の動作を示す図である。
【図９】本発明の実施の形態における画像管理部３４０のディレクトリ生成メッセージ受信時の動作を示す図である。
【図１０】本発明の実施の形態における画像管理部３４０のファイルコピーメッセージ受信時の動作を示す図である。
【符号の説明】
【００８６】
１００  デジタル放送受信機
１０１  スピーカ
１０２  ディスプレイ
１０８  バス
１０９  アンテナ
１１０  制御部
１２８  ディスク部
１２９  メモリ部
１３１  チューナ
１３２  外部入力部
１３３  ネットワーク入出力部
１３４  復調部
１４０  デマルチプレクサ
１４１  音声復号部
１４２  画像復号部
１５０  スイッチ部
１６０  変換部
１６１  音声出力部
１６２  画像出力部
１７０  マルチプレクサ
１７１  音声符号化部
１７２  画像符号化部
１８０  リモコン受光部
１８１  リモコン
１８２  電源ボタン
１８３  選択ボタン
１８４  フラッシュボタン
１８５  チャンネルキー
１８６  音量ボタン
１８７  チャンネルボタン
１９０  カードスロット部
３１０  可搬型記録媒体
３２０  媒体検知部
３３０  媒体管理部
３４０  画像管理部
３５０  画像表示制御部
３６０  画像表示部
３７０  要求入力部
３８０  ディスク
３８１  一時記憶領域
３８２  保存領域
３９０  メモリ
３９１  フォトリスト
３９２  アルバムリスト
【図１】
2005079822.tif 000003
【図２】
2005079822.tif 000004
【図３】
2005079822.tif 000005
【図４】
2005079822.tif 000006
【図５】
2005079822.tif 000007
【図６】
2005079822.tif 000008
【図７】
2005079822.tif 000009
【図８】
2005079822.tif 000010
【図９】
2005079822.tif 000011
【図１０】
2005079822.tif 000012